(57)【要約】      （修正有）【課題】木質感の外観を持ち、かつコスト及び耐久性に優れた弦楽器用ピックを提供する。【解決手段】樹脂材料１３に木粉１４が配合されて粉体状又はペレット状の人工木材料が形成された後、形成された人工木材料が押出成形、熱プレス、及び射出成形等により板状に成形される。次に、板状の人工木材料に対して、表面１１ａをサンダーにて研磨し木材の風合を出す表面加工を行う。この表面加工は、弦楽器用ピック１０に対して演奏時の滑り止め効果も付与する。次に、打ち抜き等を行うことにより所望の鱗片状の人工木材料を形成した後、鱗片状の人工木材料の端面１２を研磨加工する。【選択図】図３
2015031852.tif 000002
【特許請求の範囲】
【請求項１】
木粉と樹脂材料とを含む板状体で構成される
弦楽器用ピック。
【請求項２】
前記板状体の表面で前記木粉の一部が露出する
請求項１に記載の弦楽器用ピック。
【請求項３】
前記板状体の端面で前記木粉が露出していない
請求項１又は２に記載の弦楽器用ピック。
【請求項４】
前記板状体の裏面で前記木粉が露出している
請求項１〜３のいずれか１項に記載の弦楽器用ピック。
【請求項５】
前記板状体の厚さは、０．４ｍｍ以上１．２ｍｍ以下であり、
前記樹脂材料は、ポリプロピレンであり、
前記木粉は、前記樹脂材料１００重量部に対して３５重量部以下含まれている
請求項１〜４のいずれか１項に記載の弦楽器用ピック。
【発明の詳細な説明】
【技術分野】
【０００１】
本発明は、ギター等の弦楽器の弦を弾く弦楽器用ピックに関する。
【背景技術】
【０００２】
従来から、ギター、ウクレレ及びベース等の弦楽器は、奏者が鱗片状の弦楽器用ピックを指で把持し、把持した弦楽器用ピックで弦楽器内に張られた弦を弾くことにより演奏される。そして、このような弦楽器の演奏に用いられる弦楽器用ピックは、一般的に、樹脂材料及び鼈甲材料等から構成されている（例えば、特許文献１参照）。
【先行技術文献】
【特許文献】
【０００３】
【特許文献１】実公平８−７１２号公報
【発明の概要】
【発明が解決しようとする課題】
【０００４】
ところで、近年、木質感の独特の外観を持つため、木材で構成した弦楽器用ピックが普及してきている。しかしながら、このような木材の弦楽器用ピックにおいては、弦を弾くのに十分な強度を弦楽器用ピックに持たせるため、用いる木材がローズウッド等の高価なものに限定されてしまい、弦楽器用ピックが高価になるという問題がある。また、木材は硬度が一般的に弱いため、弦楽器用ピックが割れ易く、磨耗劣化し易いものとなって耐久性の低いものになるという問題もある。
そこで、本発明は、かかる問題点に鑑み、木質感の外観を持ち、かつコスト及び耐久性に優れた弦楽器用ピックを提供することを目的とする。
【課題を解決するための手段】
【０００５】
上記目的を達成するために、本発明に係る弦楽器用ピックは、木粉と樹脂材料とを含む板状体で構成されることを特徴とする。
ここで、前記板状体の表面で前記木粉の一部が露出してもよい。
また、前記板状体の端面で前記木粉が露出していなくてもよい。
また、前記板状体の裏面で前記木粉が露出していてもよい。
【０００６】
また、前記板状体の厚さは、０．４ｍｍ以上１．２ｍｍ以下であり、前記樹脂材料は、ポリプロピレンであり、前記木粉は、前記樹脂材料１００重量部に対して３５重量部以下含まれていてもよい。
【発明の効果】
【０００７】
本発明によれば、木質感の外観を持ち、かつコスト及び耐久性に優れた弦楽器用ピックを実現することができる。
【図面の簡単な説明】
【０００８】
【図１】本発明の実施形態に係る弦楽器用ピックの構成を示す斜視図である。
【図２】本発明の実施形態に係る弦楽器用ピックの詳細な構成を示す図である。
【図３】本発明の実施形態に係る弦楽器用ピックの詳細な構成を示す断面図である。
【発明を実施するための形態】
【０００９】
以下、本発明の実施形態について、図面を用いて詳細に説明する。
本発明の実施形態に係る弦楽器用ピック１０について、図１、図２及び図３を用いて説明する。
【００１０】
図１は、本実施形態に係る弦楽器用ピック１０の構成を示す斜視図である。図２は、本実施形態に係る弦楽器用ピック１０の詳細な構成を示す図である。図３は、本実施形態に係る弦楽器用ピック１０の詳細な構成を示す断面図（図２のＡＡ’における断面図）である。なお、図２において、（ａ）は弦楽器用ピック１０を後方から見た背面図を、（ｂ）は弦楽器用ピック１０を上方から見た上面図を、（ｃ）は弦楽器用ピック１０を右側方から見た側面図を示している。
【００１１】
弦楽器用ピック１０は、ギター等の弦楽器の弦を弾くために用いられる鱗片状のピックであって、弦楽器の奏者により把持されるピック本体部（図１及び図２のＢ部）と、弦楽器の弦と当接されて弦を弾くピック先端部（図１及び図２のＡ部）とから構成されている。
【００１２】
弦楽器用ピック１０は、図２（ｂ）の平面図に示されるように、角が丸くされた略三角形の平面形状を有し、３つの角のうち最も鋭角な角がピック先端部を構成している。また、弦楽器用ピック１０は、図２（ａ）及び図２（ｃ）の端面図に示されるように、薄板状であり、ピック先端部及びピック本体部で厚さが略同じとなっている。
【００１３】
弦楽器用ピック１０は、図３に示されるように、樹脂材料１３に木粉１４を混合した人工木材料により構成されている。なお、人工木材料には、樹脂材料１３及び木粉１４以外に、着色顔料、充填剤及び添加剤等が必要に応じて混合されてもよい。
【００１４】
この人工木材料を構成する樹脂材料１３としては、押出成形及び射出成形等の成形加工が可能な合成樹脂、例えばポリエチレン、ポリプロピレン、ポリ塩化ビニル、ＡＢＳ樹脂、ポリアミド及びアクリル樹脂等の熱可塑性合成樹脂、その他フェノール樹脂、ポリエステル及びユリヤ樹脂等の熱硬化性合成樹脂を使用することができる。
【００１５】
また、人工木材料を構成する木粉１４としては、植物繊維の粉砕物、例えばスギ及びベイツガ（米栂）等の針葉樹種の木材の粉砕物を使用することができる。この粉砕物の粒径は例えば３０〜１２０メッシュ程度である。
【００１６】
例えば、樹脂材料１３としてポリプロピレンを用いて厚さ０．４ｍｍ以上１．２ｍｍ以下の弦楽器用ピック１０を構成する場合、木粉１４と樹脂材料１３との配合比率は、樹脂材料１３の１００重量部に対して、３５重量部以下とされる。これは、木粉１４の配合比率が３５重量部より大きいと、弦楽器の弦を弾くのに十分な強度が得られず、演奏時のピック本体部に対するピック先端部の折り曲げにより弦楽器用ピック１０が破断するためである。また、木材の弦楽器用ピックと同等の音色を実現するためには、木粉１４と樹脂材料１３との配合比率は樹脂材料１３の１００重量部に対して、２０重量部以上が好ましい。例えば、樹脂材料１３としてポリプロピレンを用い、木粉１４として平均粒径が３００μｍ以下のベイツガを用い、木粉１４と樹脂材料１３との配合比率を樹脂材料１３の１００重量部に対して３５重量部とし、厚さ１．０ｍｍの弦楽器用ピック１０を構成したとき、９０°の折り曲げに対して破断せず、音色が木材の弦楽器用ピックと同等のピックが得られた。
【００１７】
弦楽器用ピック１０の表面１１ａ及び裏面１１ｂには、ピック本体部からピック先端部に向かう方向に直線状の木目が複数本平行に現れている。このような木目により、演奏時に木目と弦楽器の弦とが交差するように弦楽器用ピック１０が弦楽器の弦と当接するため、木目が過度に弦楽器の弦に引っ掛かることを抑えて、弦を弾き易い弦楽器用ピック１０を実現することができる。
【００１８】
上記構成を有する弦楽器用ピック１０は、次のように製造される。すなわち、まず、樹脂材料１３に木粉１４が配合されて粉体状又はペレット状の人工木材料が形成された後、形成された人工木材料が押出成形、熱プレス、及び射出成形等により板状に成形される。次に、板状の人工木材料に対して、表面をサンダーにて研磨し木材の風合を出す表面加工を行う。この表面加工は、弦楽器用ピック１０に対して演奏時の滑り止め効果も付与する。次に、打ち抜き等を行うことにより所望の鱗片状の人工木材料を形成した後、鱗片状の人工木材料の端面を研磨加工することにより弦楽器用ピック１０が完成する。なお、端面の研磨加工は、少なくともピック先端部に対して行われればよいが、加工の容易性を考慮して他の部分の端面、例えば全端面に対して行われてもよい。
【００１９】
弦楽器用ピック１０の製造における研磨加工は、鱗片状の人工木材料の端面に対してのみ行われて表面及び裏面に対しては行われない。従って、弦楽器用ピック１０の端面１２では、木粉１４が樹脂材料１３に完全に埋め込まれて木粉１４は樹脂材料１３から露出しておらず、樹脂材料１３のみで面が形成されている。これに対し、弦楽器用ピック１０の表面１１ａ及び裏面１１ｂでは、樹脂材料１３に埋め込まれた木粉１４の一部が樹脂材料１３から露出しており、木粉１４及び樹脂材料１３の両方により面が形成されている。その結果、弦楽器用ピック１０の表面１１ａ及び裏面１１ｂは、木粉１４が露出する分だけ、弦楽器用ピック１０の端面１２に対して摩擦係数が高くなっている。
【００２０】
以上のように、本実施形態の弦楽器用ピック１０は、木粉１４と樹脂材料１３とを含む板状体で構成される。このような構成により、木質感の外観を持つ弦楽器用ピック１０を実現することができる。また、安価な木粉１４を使用することができるので、高価な木材のみで構成した弦楽器用ピックと比較して、安価でコストに優れた弦楽器用ピック１０を実現することができる。さらに、弦楽器用ピック１０の一部が木材より硬度の高い樹脂材料１３により構成されるため、木材のみで構成した弦楽器用ピックと比較して、磨耗劣化し難く、割れ難くなって耐久性の高い弦楽器用ピック１０を実現することができる。
【００２１】
また、本実施形態の弦楽器用ピック１０では、弦楽器用ピック１０としての板状体の表面１１ａで木粉１４の一部が露出する。このような構成により、弦楽器用ピック１０の多くを占める表面１１ａで木粉１４が露出するため、木質感の触感を持つと共に木粉が弦に当接して甘いトーンの音色を奏でることが可能な、つまり木材の弦楽器用ピックと遜色ない弦楽器用ピック１０を実現することができる。また、奏者が把持した際に指に接触する弦楽器用ピック１０の表面１１ａについて摩擦係数が高くなるため、弦楽器用ピック１０のグリップ感を高めて演奏し易い弦楽器用ピック１０を実現することができる。
【００２２】
また、本実施形態の弦楽器用ピック１０では、弦楽器用ピック１０としての板状体の端面１２で木粉１４が露出していない。このような構成により、演奏時に弦に接する弦楽器用ピック１０の端面１２について木粉１４が露出しないため、演奏時の弦楽器用ピック１０の弦への引っ掛かりを抑えて演奏し易い弦楽器用ピック１０を実現することができる。
【００２３】
また、本実施形態の弦楽器用ピック１０では、弦楽器用ピック１０としての板状体の裏面１１ｂで木粉１４が露出している。このような構成により、弦楽器用ピック１０の多くを占める裏面１１ｂで木粉１４が露出するため、木質感の触感を高めることが可能な弦楽器用ピック１０を実現することができる。また、奏者が把持した際に指に接触する弦楽器用ピック１０の裏面１１ｂについて摩擦係数が高くなるため、弦楽器用ピック１０のグリップ感を高めて演奏し易い弦楽器用ピック１０を実現することができる。また、弦楽器用ピック１０の表面１１ａ及び裏面１１ｂの両方で木粉１４を露出させた場合、演奏時に弦楽器用ピック１０の裏表区別することなく弦を奏でることができるので、演奏し易い弦楽器用ピック１０を実現することができる。
【００２４】
また、本実施形態の弦楽器用ピック１０では、弦楽器用ピック１０としての板状体の厚さは、０．４ｍｍ以上１．２ｍｍ以下であり、樹脂材料１３は、ポリプロピレンであり、木粉は、樹脂材料１３の１００重量部に対して３５重量部以下含まれている。このような構成により、弦楽器の弦を弾くのに十分な強度を実現し、演奏時のピック本体部に対するピック先端部の折り曲げにより弦楽器用ピック１０が破断することを抑えてさらに耐久性の高い弦楽器用ピック１０を実現することができる。
【００２５】
以上、本発明の弦楽器用ピックについて、実施形態に基づいて説明したが、本発明は、この実施形態に限定されるものではない。本発明の要旨を逸脱しない範囲内で当業者が思いつく各種変形を施したものも本発明の範囲内に含まれる。
【００２６】
例えば、上記実施形態の弦楽器用ピックにおいて、弦楽器用ピックは角が丸くされた略三角形の平面形状を有するとしたが、角を持つ平面形状を有すればこの形状に限られず、例えば四角形の平面形状を有してもよい。
【００２７】
また、上記実施形態の弦楽器用ピックにおいて、弦楽器用ピックの表面及び裏面の両方で木粉が露出するとしたが、少なくともいずれかの面で木粉が露出すれば木質感の触感を持つと共に甘いトーンの音色を奏でることが可能な弦楽器用ピックを実現できる。従って、弦楽器用ピックの表面及び裏面のいずれかのみで木粉が露出していてもよい。
【００２８】
また、上記実施形態の弦楽器用ピックにおいて、弦楽器用ピックの端面で木粉が露出しないとしたが、弦への引っ掛かりを許容できる範囲内であれば、一部の木粉が端面で露出していてもよい。
【００２９】
また、上記実施形態の弦楽器用ピックにおいて、触感及び音色について弦楽器用ピックと同等のものを得るために、弦楽器用ピックの表面又は裏面に木粉が露出するとした。しかし、外観のみを弦楽器用ピックに近付ける場合、木粉は表面又は裏面に露出していなくてもよい。また、音色のみを弦楽器用ピックに近付ける場合、弦楽器用ピックの先端部の表面又は裏面でのみ木粉が露出していてもよい。
【００３０】
なお、上記実施形態の弦楽器用ピックにおいて、弦楽器用ピックの表面及び裏面の全体にピック本体部からピック先端部に向かう方向に直線状の木目が現れているとした。しかし、ピック先端部でピック本体部からピック先端部に向かう方向の直線状の木目が複数本平行に現れ、ピック本体部でピック本体部からピック先端部に向かう方向と交差する方向の直線状の木目が複数本平行に現れてもよい。これにより、弦楽器の弦と当接するピック先端部で木目の弦への引っ掛かりを抑え、かつ、奏者が把持した際に指に接触するピック本体部のグリップ感を高めることができる。
【産業上の利用可能性】
【００３１】
本発明は、弦楽器用ピックとして有用であり、木質感の外観を持った弦楽器用ピック等において広く利用することができる。
【符号の説明】
【００３２】
１０    弦楽器用ピック
１１ａ    表面
１１ｂ    裏面
１２    端面
１３    樹脂材料
１４    木粉
【図１】
2015031852.tif 000003
【図２】
2015031852.tif 000004
【図３】
2015031852.tif 000005